(57)【特許請求の範囲】
【請求項１】
画像信号に対して算術符号化を行なう画像符号化方法であって、
前記算術符号化に用いる区間を示すＲａｎｇｅ及び前記区間の最小位置を示すＬｏｗ位置の少なくとも何れかを導出するための情報を符号化する符号化ステップと、
前記画像信号の算術符号化開始時に、前記情報に基づき前記算術符号化の初期化を行う初期化ステップとを含み、
前記情報は、予め定められた固定値により前記Ｒａｎｇｅ及び前記Ｌｏｗ位置の少なくとも何れかの初期値を設定するモードと、符号列内の情報を基に前記Ｒａｎｇｅ及び前記Ｌｏｗ位置の少なくとも何れかの初期値を設定するモードとを切り替えるためのフラグを含み、
前記初期化ステップでは、前記フラグで指定されるモードを用いて前記初期化を行う
画像符号化方法。
【請求項２】
前記情報は、コンテキストの複数の初期値のセットのうちいずれかを指定するインデックスを含み、
前記初期化ステップでは、前記インデックスで指定される初期値のセットを用いて前記初期化を行う
請求項１記載の画像符号化方法。
【請求項３】
画像を符号化して生成されるビットストリームに対して算術復号を行なう画像復号方法であって、
前記算術復号に用いる区間を示すＲａｎｇｅ及び前記区間の最小位置を示すＬｏｗ位置の少なくとも何れかを導出するための情報を復号する復号ステップと、
前記ビットストリームの算術復号開始時に、前記情報に基づき前記算術復号の初期化を行う初期化ステップとを含み、
前記情報は、予め定められた固定値により前記Ｒａｎｇｅ及び前記Ｌｏｗ位置の少なくとも何れかの初期値を設定するモードと、符号列内の情報を基に前記Ｒａｎｇｅ及び前記Ｌｏｗ位置の少なくとも何れかの初期値を設定するモードとを切り替えるためのフラグを含み、
前記初期化ステップでは、前記フラグで指定されるモードを用いて前記初期化を行う
画像復号方法。
【請求項４】
前記情報は、コンテキストの複数の初期値のセットのうちいずれかを指定するインデックスを含み、
前記初期化ステップでは、前記インデックスで指定される初期値のセットを用いて前記初期化を行う
請求項３記載の画像復号方法。
【請求項５】
画像信号に対して算術符号化を行なう画像符号化装置であって、
前記算術符号化に用いる区間を示すＲａｎｇｅ及び前記区間の最小位置を示すＬｏｗ位置の少なくとも何れかを導出するための情報を符号化する符号化部と、
前記画像信号の算術符号化開始時に、前記情報に基づき前記算術符号化の初期化を行う初期化部とを備え、
前記情報は、予め定められた固定値により前記Ｒａｎｇｅ及び前記Ｌｏｗ位置の少なくとも何れかの初期値を設定するモードと、符号列内の情報を基に前記Ｒａｎｇｅ及び前記Ｌｏｗ位置の少なくとも何れかの初期値を設定するモードとを切り替えるためのフラグを含み、
前記初期化部は、前記フラグで指定されるモードを用いて前記初期化を行う
画像符号化装置。
【請求項６】
画像を符号化して生成されるビットストリームに対して算術復号を行なう画像復号装置であって、
前記算術復号に用いる区間を示すＲａｎｇｅ及び前記区間の最小位置を示すＬｏｗ位置の少なくとも何れかを導出するための情報を復号する復号部と、
前記ビットストリームの算術復号開始時に、前記情報に基づき前記算術復号の初期化を行う初期化部とを備え、
前記情報は、予め定められた固定値により前記Ｒａｎｇｅ及び前記Ｌｏｗ位置の少なくとも何れかの初期値を設定するモードと、符号列内の情報を基に前記Ｒａｎｇｅ及び前記Ｌｏｗ位置の少なくとも何れかの初期値を設定するモードとを切り替えるためのフラグを含み、
前記初期化部は、前記フラグで指定されるモードを用いて前記初期化を行う
画像復号装置。
【発明の詳細な説明】
【技術分野】
【０００１】
本発明は、画像符号化方法及び画像復号方法に関するものである。
【背景技術】
【０００２】
画像（動画像を含む）を符号化する画像符号化方法、または、画像を復号化する画像復号化方法に関する技術として、非特許文献１に記載の技術がある。
【先行技術文献】
【非特許文献】
【０００３】
【非特許文献１】Ｊｏｉｎｔ  Ｃｏｌｌａｂｏｒａｔｉｖｅ  Ｔｅａｍ  ｏｎ  Ｖｉｄｅｏ  Ｃｏｄｉｎｇ  （ＪＣＴ−ＶＣ）  ｏｆ  ＩＴＵ−Ｔ  ＳＧ１６  ＷＰ３  ａｎｄ  ＩＳＯ／ＩＥＣ  ＪＴＣ１／ＳＣ２９／ＷＧ１１  １２ｔｈ  Ｍｅｅｔｉｎｇ：  Ｇｅｎｅｖａ，  ＣＨ，  １４−２３  Ｊａｎ．  ２０１３  ＪＣＴＶＣ−Ｌ１００３＿ｖ３４．ｄｏｃ，  Ｈｉｇｈ  Ｅｆｆｉｃｉｅｎｃｙ  Ｖｉｄｅｏ  Ｃｏｄｉｎｇ  （ＨＥＶＣ）  ｔｅｘｔ  ｓｐｅｃｉｆｉｃａｔｉｏｎ  ｄｒａｆｔ  １０  （ｆｏｒ  ＦＤＩＳ  ＆  Ｌａｓｔ  Ｃａｌｌ）  ｈｔｔｐ：／／ｐｈｅｎｉｘ．ｉｔ−ｓｕｄｐａｒｉｓ．ｅｕ／ｊｃｔ／ｄｏｃ＿ｅｎｄ＿ｕｓｅｒ／ｄｏｃｕｍｅｎｔｓ／１２＿Ｇｅｎｅｖａ／ｗｇ１１／ＪＣＴＶＣ−Ｌ１００３−ｖ３４．ｚｉｐ
【発明の概要】
【発明が解決しようとする課題】
【０００４】
しかしながら、従来技術に係る画像符号化方法または画像復号方法において、非効率的な処理が用いられる場合がある。
【０００５】
そこで、本発明は、画像を効率的に符号化する画像符号化方法、または、画像を効率的に復号する画像復号方法を提供する。
【課題を解決するための手段】
【０００６】
本発明の一態様に係る画像符号化装置は、画像信号に対して算術符号化を行なう画像符号化方法であって、前記算術符号化に用いるコンテキスト、並びに区間を示すＲａｎｇｅ及び前記区間の最小位置を示すＬｏｗ位置の少なくとも何れかを導出するための情報を符号化する符号化ステップと、前記画像信号の算術符号化開始時に、前記情報に基づき前記算術符号化の初期化を行う初期化ステップとを含む。
【０００７】
また、本発明の一態様に係る画像復号方法は、画像を符号化して生成されるビットストリームに対して算術復号を行なう画像復号方法であって、前記算術復号に用いるコンテキスト、並びに区間を示すＲａｎｇｅ及び前記区間の最小位置を示すＬｏｗ位置の少なくとも何れかを導出するための情報を復号する復号ステップと、前記ビットストリームの算術復号開始時に、前記情報に基づき前記算術復号の初期化を行う初期化ステップとを含む。
【０００８】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００９】
本発明の画像符号化方法及び画像復号方法は、画像を効率的に符号化または復号することができる。
【図面の簡単な説明】
【００１０】
【図１】実施の形態１に係る画像符号化装置のブロック図である。
【図２】実施の形態１に係る画像符号化処理のフローチャートである。
【図３】実施の形態１に係る可変長符号化部のブロック図である。
【図４】実施の形態１に係る可変長符号化処理のフローチャートである。
【図５】実施の形態１に係るコンテキスト初期値設定処理のフローチャートである。
【図６】実施の形態１に係るコンテキストインデックスの一例を示す図である。
【図７】実施の形態１に係る算術符号化器初期値設定処理のフローチャートである。
【図８】実施の形態１に係るコンテキスト格納処理のフローチャートである。
【図９】実施の形態１に係る算術符号化器データ格納処理のフローチャートである。
【図１０】実施の形態１に係るコンテキスト、Ｒａｎｇｅ及びＬｏｗ位置の初期値に関するシンタックスを示す図である。
【図１１】実施の形態２に係る画像復号装置のブロック図である。
【図１２】実施の形態２に係る画像復号処理のフローチャートである。
【図１３】実施の形態２に係る可変長復号部のブロック図である。
【図１４】実施の形態２に係る可変長復号処理のフローチャートである。
【図１５】実施の形態２に係るコンテキスト初期値設定処理のフローチャートである。
【図１６】実施の形態２に係る算術復号器初期値設定処理のフローチャートである。
【図１７】コンテンツ配信サービスを実現するコンテンツ供給システムの全体構成図である。
【図１８】デジタル放送用システムの全体構成図である。
【図１９】テレビの構成例を示すブロック図である。
【図２０】光ディスクである記録メディアに情報の読み書きを行う情報再生／記録部の構成例を示すブロック図である。
【図２１】光ディスクである記録メディアの構造例を示す図である。
【図２２Ａ】携帯電話の一例を示す図である。
【図２２Ｂ】携帯電話の構成例を示すブロック図である。
【図２３】多重化データの構成を示す図である。
【図２４】各ストリームが多重化データにおいてどのように多重化されているかを模式的に示す図である。
【図２５】ＰＥＳパケット列に、ビデオストリームがどのように格納されるかを更に詳しく示した図である。
【図２６】多重化データにおけるＴＳパケットとソースパケットの構造を示す図である。
【図２７】ＰＭＴのデータ構成を示す図である。
【図２８】多重化データ情報の内部構成を示す図である。
【図２９】ストリーム属性情報の内部構成を示す図である。
【図３０】映像データを識別するステップを示す図である。
【図３１】各実施の形態の動画像符号化方法および動画像復号化方法を実現する集積回路の構成例を示すブロック図である。
【図３２】駆動周波数を切り替える構成を示す図である。
【図３３】映像データを識別し、駆動周波数を切り替えるステップを示す図である。
【図３４】映像データの規格と駆動周波数を対応づけたルックアップテーブルの一例を示す図である。
【図３５Ａ】信号処理部のモジュールを共有化する構成の一例を示す図である。
【図３５Ｂ】信号処理部のモジュールを共有化する構成の他の一例を示す図である。
【発明を実施するための形態】
【００１１】
（本発明の基礎となった知見）
本発明者は、「背景技術」の欄において記載した、画像を符号化する画像符号化装置、または画像を復号する画像復号装置に関して、以下の問題が生じることを見出した。
【００１２】
近年、デジタル映像機器の技術進歩が著しく、ビデオカメラ又はテレビチューナから入力された映像信号（時系列順に並んだ複数のピクチャ）が圧縮符号化され、得られたデータがＤＶＤ又はハードディスク等の記録メディアに記録される機会が増えている。画像符号化規格としてはＨ．２６４／ＡＶＣ（ＭＰＥＧ−４  ＡＶＣ）があるが、次世代の標準規格としてＨＥＶＣ（Ｈｉｇｈ  Ｅｆｆｉｃｉｅｎｃｙ  Ｖｉｄｅｏ  Ｃｏｄｉｎｇ）規格（非特許文献１）が規格化された。
【００１３】
ＨＥＶＣ規格（非特許文献１）における画像符号化方法は、符号化画像を予測するステップと、予測画像と符号化対象画像との差分を求めるステップと、差分画像を周波数係数に変換するステップと、周波数係数及び予測情報を算術符号化するステップとを含む。算術符号化では、画像符号化装置は、まず符号化対象信号を多値信号から二値信号（０と１の信号）に変換（二値化）し、二値信号（ｂｉｎ）を算術符号化することで符号列を生成する。また、算術符号化では、画像符号化装置は、符号化対象の信号毎にコンテキストを選択し、コンテキストに応じたシンボル発生確率を基に区間を設定して符号列を送出する。また、画像符号化装置は、符号化された対象信号の値に応じてコンテキストのシンボル発生確率を更新するとともに、算術符号化器内の区間の幅を示すＲａｎｇｅと区間の下の位置を示すＬｏｗ位置とを更新していく。
【００１４】
ここで、算術符号化では前述したとおりコンテキスト、Ｒａｎｇｅ、及びＬｏｗ位置の更新が逐次必要であるため、並列処理が困難である。近年、画像のサイズが４Ｋ又は８Ｋという風に大きくなってきており、また、マルチコアなプロセッサが多く存在してきたため、処理を分散して高速処理を実現したいという要望が多かった。ＨＥＶＣ規格ではそれを解決する手段としてスライス分割、タイル分割、及びＷＰＰ（ウェーブフロント・パラレル・プロセッシング）のツールがある。スライス分割及びタイル分割はスライス又はタイル間のコンテキスト、Ｒａｎｇｅ及びＬｏｗ位置の依存関係を排除することによって並列処理を可能にするツールである。
【００１５】
また、ＷＰＰは符号ブロックが画面左端の場合に右上の符号ブロックの符号化後のコンテキストをコピーして使用するツールである。ＷＰＰでは、画面左端の符号ブロックは右上の符号ブロックの符号化後に符号化をスタートできる。これにより、コンテキストの学習効率と並列処理とを両立できる。また、非独立スライスセグメントというツールもあり、これはコンテキストの依存関係を残したまま、スライス分割を行うツールである。
【００１６】
しかしながら、スライス分割及びタイル分割ではコンテキストの依存関係を排除するため、前に学習したシンボル発生確率を利用できない。これにより、符号化効率が低下してしまうという課題があった。また、ＷＰＰではＲａｎｇｅ及びＬｏｗ位置は符号ブロック列毎に独立に更新しなければならないため、符号ブロック列の終端（画面右端ブロック）で算術符号化器内部のビット吐き出し処理が必要である。これにより、符号化効率が低下するという課題があった。
【００１７】
本発明の一態様に係る画像符号化方法は、画像信号に対して算術符号化を行なう画像符号化方法であって、前記算術符号化に用いるコンテキスト、並びに区間を示すＲａｎｇｅ及び前記区間の最小位置を示すＬｏｗ位置の少なくとも何れかを導出するための情報を符号化する符号化ステップと、前記画像信号の算術符号化開始時に、前記情報に基づき前記算術符号化の初期化を行う初期化ステップとを含む。
【００１８】
例えば、前記情報は、コンテキストの複数の初期値のセットのうちいずれかを指定するインデックスを含み、前記初期化ステップでは、前記インデックスで指定される初期値のセットを用いて前記初期化を行ってもよい。
【００１９】
例えば、前記情報は、予め定められた固定値により初期値を設定するモードと、符号列内の情報を基に初期値を設定するモードとを切り替えるためのフラグを含み、前記初期化ステップでは、前記フラグで指定されるモードを用いて前記初期化を行ってもよい。
【００２０】
また、本発明の一態様に係る画像復号方法は、画像を符号化して生成されるビットストリームに対して算術復号を行なう画像復号方法であって、前記算術復号に用いるコンテキスト、並びに区間を示すＲａｎｇｅ及び前記区間の最小位置を示すＬｏｗ位置の少なくとも何れかを導出するための情報を復号する復号ステップと、前記ビットストリームの算術復号開始時に、前記情報に基づき前記算術復号の初期化を行う初期化ステップとを含む。
【００２１】
例えば、前記情報は、コンテキストの複数の初期値のセットのうちいずれかを指定するインデックスを含み、前記初期化ステップでは、前記インデックスで指定される初期値のセットを用いて前記初期化を行ってもよい。
【００２２】
例えば、前記情報は、予め定められた固定値により初期値を設定するモードと、符号列内の情報を基に初期値を設定するモードとを切り替えるためのフラグを含み、前記初期化ステップでは、前記フラグで指定されるモードを用いて前記初期化を行ってもよい。
【００２３】
また、本発明の一態様に係る画像符号化装置は、画像信号に対して算術符号化を行なう画像符号化装置であって、前記算術符号化に用いるコンテキスト、並びに区間を示すＲａｎｇｅ及び前記区間の最小位置を示すＬｏｗ位置の少なくとも何れかを導出するための情報を符号化する符号化部と、前記画像信号の算術符号化開始時に、前記情報に基づき前記算術符号化の初期化を行う初期化部とを備える。
【００２４】
また、本発明の一態様に係る画像復号装置は、画像を符号化して生成されるビットストリームに対して算術復号を行なう画像復号装置であって、前記算術復号に用いるコンテキスト、並びに区間を示すＲａｎｇｅ及び前記区間の最小位置を示すＬｏｗ位置の少なくとも何れかを導出するための情報を復号する復号部と、前記ビットストリームの算術復号開始時に、前記情報に基づき前記算術復号の初期化を行う初期化部とを備える。
【００２５】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【００２６】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。
【００２７】
（実施の形態１）
＜全体構成＞
図１は、本実施の形態における画像符号化装置１００の構成を示すブロック図である。図１に示す画像符号化装置１００は、符号ブロック分割部１０１と、減算部１０２と、変換部１０３と、可変長符号化部１０４と、逆変換部１０５と、加算部１０６と、フレームメモリ１０７と、予測部１０８とを備える。
【００２８】
＜動作（全体）＞
次に、図２を参照しつつ、符号化処理全体のフローについて説明する。
【００２９】
まず、符号ブロック分割部１０１は、入力画像を符号ブロックに分割し、符号ブロックを順次、減算部１０２及び予測部１０８に出力する（Ｓ１１１）。
【００３０】
次に、予測部１０８は予測ブロックを生成する（Ｓ１１２）。減算部１０２は符号ブロックから予測ブロックを減算することで差分ブロックを生成する（Ｓ１１３）。変換部１０３は、差分ブロックを周波数変換することで量子化係数を生成する（Ｓ１１４）。逆変換部１０５は、量子化係数を逆周波数変換することで復号差分ブロックを生成する（Ｓ１１５）。
【００３１】
加算部１０６は、予測ブロックと復号差分ブロックとを加算することで復号ブロックを生成する（Ｓ１１６）。この復号ブロックは、フレームメモリ１０７に格納され、予測部１０８による予測処理に用いられる。また、可変長符号化部１０４は、量子化係数を可変長符号化することで符号列を生成する（Ｓ１１７）。また、画像符号化装置１００は、符号化対象画像内の全符号ブロックの符号化が完了するまでＳ１１２からＳ１１７を繰り返す（Ｓ１１８）。
【００３２】
以降、特徴的な可変長符号化部１０４について詳細を説明する。
【００３３】
＜可変長符号化部１０４の構成＞
図３は、可変長符号化部１０４の構成を示すブロック図である。可変長符号化部１０４は、二値化部１１１と、算術符号化部１１２と、コンテキスト格納部１１３と、コンテキスト初期値設定部１１４と、算術符号化器データ格納部１１５と、算術符号化器初期値設定部１１６と、ゴロム符号化部１１７とを備える。
【００３４】
算術符号化は、符号化対象となる二値信号における各ビットの発生確率（コンテキスト値）を用いた符号化であり、確率値で区間を分割及び更新することで信号の高圧縮化を実現する。例えば、二値信号のあるビットが「０」となる確率が０．７であり、「１」となる確率が０．３の場合、「０」が符号化されると、ビットの符号化に用いられた当該区間の下から７０％の部分が新しい区間に設定される。また、「１」が符号化されると、当該区間の上から３０％の部分が、新しい区間に設定される。算術符号化では、この区間更新が繰り返されることで、区間は順次短くなり、最終区間に含まれる実数値の二進数表現を用いて、算術符号化部１１２の出力信号が生成される。
【００３５】
＜可変長符号化処理＞
次に、図４を参照しつつ、可変長符号化処理（Ｓ１１７）について説明する。
【００３６】
まず、コンテキスト初期値設定部１１４は、算術符号化時に使用する確率に対応するコンテキストの初期値を設定する（Ｓ１３１）。算術符号化器初期値設定部１１６は、算術符号化時に使用する区間を示すＲａｎｇｅの初期値と区間の最小位置を示すＬｏｗ位置の初期値とを設定する（Ｓ１３２）。
【００３７】
次に二値化部１１１は、符号化するシンタックス要素を二値化することで二値信号を生成する（Ｓ１３３）。算術符号化部１１２は二値信号を算術符号化する（Ｓ１３４）。算術符号化部１１２は、算術符号化において、Ｒａｎｇｅ、Ｌｏｗ位置及びコンテキストの更新、並びに正規化（ビット送出）を行う。
【００３８】
次に、コンテキスト格納部１１３及び算術符号化器データ格納部１１５は、更新されたコンテキスト、Ｒａｎｇｅ及びＬｏｗ位置を格納する（Ｓ１３５及びＳ１３６）。
【００３９】
可変長符号化部１０４は、符号ブロック内の全シンタックス要素の符号化が完了するまでＳ１３１からＳ１３６を繰り返す（Ｓ１３７）。
【００４０】
以降、特徴的なコンテキスト初期値設定処理（Ｓ１３１）、算術符号化器初期値設定処理（Ｓ１３２）、コンテキスト格納処理（Ｓ１３５）、及び算術符号化器データ格納処理（Ｓ１３６）について詳細を説明する。
【００４１】
＜コンテキスト初期値設定処理＞
図５を参照しつつ、コンテキスト初期値設定処理（Ｓ１３１）について説明する。
【００４２】
まず、コンテキスト初期値設定部１１４は、処理対象のシンタックス要素が、独立スライスセグメントまたはタイルの最初のシンタックス要素である場合（Ｓ１４１でＹｅｓ）、コンテキストインデックスを設定する（Ｓ１４２）。このコンテキストインデックスはゴロム符号化部１１７によって符号化される（Ｓ１４３）。コンテキスト初期値設定部１１４は、そのコンテキストインデックスに応じた値をコンテキスト初期値として算術符号化部１１２に設定する（Ｓ１４４）。
【００４３】
ここで独立スライスセグメントとは前述した非独立スライスセグメントではないスライスセグメントであり、先に符号化したスライスセグメントとコンテキストの依存関係が無いスライスセグメントである。コンテキストインデックスとは、いくつか設けられているコンテキスト群の初期値のセットのうち、そのどれを使うかを示す情報である。
【００４４】
図６は、コンテキストインデックスの一例を示す図である。この例ではコンテキストインデックスが０の場合はコンテキスト番号が「０」、「１」、「２」のコンテキストには初期値「１５３」、「２００」、「１８５」が使用される。コンテキストの数値により、ＭＰＳ（発生確率が高いシンボル（０または１））の情報（ＨＥＶＣ規格のｖａｌＭｐｓ）と、発生確率を導出するための番号（ＨＥＶＣ規格のｐＳｔａｔｅＩｄｘ）とを含む情報が示される。
【００４５】
コンテキスト初期値設定部１１４は、コンテキストインデックスを入力画像の特徴等を用いて決定する。また、コンテキスト初期値設定部１１４は、暫定的に１度符号化を行い、効率のよいコンテキストをある程度見極めてからコンテキストインデックスを決定してもよい。
【００４６】
一方、処理対象のシンタックス要素が、ＷＰＰ時の画面左端符号ブロックの最初のシンタックス要素である場合（Ｓ１４５でＹｅｓ）、または非独立スライスセグメントの最初のシンタックス要素である場合（Ｓ１４６でＹｅｓ）、コンテキスト格納部１１３に格納されている格納コンテキストをコンテキスト初期値として算術符号化部１１２に設定する（Ｓ１４７）。なお、コンテキスト格納処理については後述する。
【００４７】
＜算術符号化器初期値設定処理＞
図７を参照しつつ、算術符号化器初期値設定処理（Ｓ１３２）について説明する。
【００４８】
処理対象のシンタックス要素が、スライスセグメントまたはタイルの最初のシンタックス要素である場合（Ｓ１５１でＹｅｓ）、またはＷＰＰ時の画面左端符号ブロックの最初のシンタックス要素の場合（Ｓ１５２でＹｅｓ）、算術符号化器初期値設定部１１６は、算術エンジン初期化タイプフラグを設定し（Ｓ１５３）、算術エンジン初期化タイプフラグのビットを符号列に送出する（Ｓ１５４）。ここでスライスセグメントは独立及び非独立両方のスライスセグメントを含む。また、算術エンジン初期化タイプフラグは、ＨＥＶＣの方法と、格納Ｒａｎｇｅ及び格納Ｌｏｗ位置をコピーして使用する方法とを切り替えるためのフラグである。例えば、算術符号化器初期値設定部１１６は、算術エンジン初期化タイプフラグを、スライス又はタイルの分割数及び入力画像の特徴等を用いて決定する。なお、算術エンジン初期化タイプフラグを、符号化を実施するユーザが任意に設定してもよい。
【００４９】
次に、算術エンジン初期化タイプフラグが「０」の場合（Ｓ１５５でＹｅｓ）、算術符号化器初期値設定部１１６は、「５１０」をＲａｎｇｅ初期値として、「０」をＬｏｗ位置初期値として算術符号化部１１２に設定する（Ｓ１５６及びＳ１５７）。つまり、算術符号化器初期値設定部１１６は、固定値をＲａｎｇｅ及びＬｏｗ位置の初期値に設定する。
【００５０】
一方、算術エンジン初期化タイプフラグが「１」の場合（Ｓ１５５でＮｏ）、ゴロム符号化部１１７は、算術符号化器データ格納部１１５に格納されている格納ＲａｎｇｅをＲａｎｇｅ初期値として、算術符号化器データ格納部１１５に格納されている格納Ｌｏｗ位置をＬｏｗ位置初期値としてゴロム符号化を行う（Ｓ１５８及びＳ１５９）。なお、算術符号化器データ格納処理については後述する。
【００５１】
次に、算術符号化器初期値設定部１１６は、上記のＲａｎｇｅ初期値及びＬｏｗ位置初期値を算術符号化部１１２に設定する（Ｓ１６０及びＳ１６１）。
【００５２】
＜コンテキスト格納処理＞
図８を参照しつつ、コンテキスト格納処理（Ｓ１３５）について説明する。
【００５３】
処理対象のシンタックス要素が、ＷＰＰ時の左端から２番目の符号ブロックの最後のシンタックス要素である場合（Ｓ１６１でＹｅｓ）、またはスライスセグメントの最後のシンタックス要素である場合（Ｓ１６２でＹｅｓ）、コンテキスト格納部１１３は、更新されたコンテキストを格納コンテキストにコピー（退避）する（Ｓ１６３）。これはＷＰＰ時の次の符号ブロック列の先頭ブロック（左端ブロック）、または次の非独立スライスセグメントの先頭でこの格納コンテキストを使用するためである。この格納コンテキストは、図５のＳ１４７でコンテキスト初期値として使用される。
【００５４】
＜算術符号化器データ格納処理＞
図９を参照しつつ、算術符号化器データ格納処理（Ｓ１３６）について説明する。
【００５５】
処理対象のシンタックス要素が、スライスセグメントまたはタイルの最後のシンタックス要素である場合（Ｓ１７１でＹｅｓ）、またはＷＰＰ時の右端の符号ブロックの最後のシンタックス要素である場合（Ｓ１７２でＹｅｓ）であって、かつ、算術エンジン初期化タイプフラグが０の場合（Ｓ１７３でＹｅｓ）、算術符号化器データ格納部１１５は、算術符号化器内に残ったビットを吐き出す送出処理を行う（Ｓ１７４）。また、算術エンジン初期化タイプフラグが０ではない場合（１の場合）（Ｓ１７３でＮｏ）、算術符号化器データ格納部１１５は、更新されたＲａｎｇｅ及びＬｏｗ位置を格納Ｒａｎｇｅ及び格納Ｌｏｗ位置にコピー（退避）する（Ｓ１７５及びＳ１７６）。これは次のスライスセグメントの先頭またはＷＰＰ時の次の符号ブロック列の先頭ブロック（左端ブロック）で格納Ｒａｎｇｅ及び格納Ｌｏｗ位置を使用するためである。この格納Ｒａｎｇｅ及び格納Ｌｏｗ位置は、図７のＳ１５８、Ｓ１５９、Ｓ１６０及びＳ１６１でＲａｎｇｅ初期値及びＬｏｗ位置初期値として使用される。
【００５６】
＜効果＞
以上、本実施の形態によれば、Ｒａｎｇｅ及びＬｏｗ位置を符号化することにより、スライス分割、タイル分割又はＷＰＰを用いた場合の符号化効率の低下を抑制することができる。より具体的には、Ｒａｎｇｅ及びＬｏｗ位置を符号化することにより、次に符号化するスライス、タイル又は符号ブロック列に対して算術符号化器の内部状態を引き続き使用することができる。これにより、スライス、タイル又は符号ブロック列終端の内部ビット吐き出し処理が不要となる。内部ビットを吐き出す処理を無くすことによって発生符号量を減らすことができ、スライス、タイル又は符号ブロック列が多い場合でも符号化効率の低下を抑制することができる。
【００５７】
また、コンテキスト初期値の種類を増やすことにより、スライス分割、タイル分割又はＷＰＰを用いた場合の符号化効率の低下を抑制することができる。より具体的には、コンテキストインデックスに応じてコンテキストの初期値にバリエーションを持たせている。入力画像に応じてコンテキストインデックスを切り替えることにより、より画像に合致したシンボル発生確率を使用できる。これにより、スライス、タイル又は符号ブロック列が多い場合であり、コンテキストの学習効率を上げられない場合でも発生符号量を抑えることができる。
【００５８】
また、算術エンジン初期化タイプフラグによってＲａｎｇｅ及びＬｏｗ位置の初期値設定方法を切り替え可能にし、発生符号量の小さい方法を状況に応じて選択可能にしている。これにより、算術符号化器内部のビット吐き出し処理による発生符号量とＲａｎｇｅ及びＬｏｗ位置を符号化する場合の発生符号量とのうち、発生符号量が小さい方を選択することができるので、より符号化効率を向上させることが可能となる。
【００５９】
図１０にコンテキスト、Ｒａｎｇｅ及びＬｏｗ位置の初期値に関するシンタックスを示す。ここでｆｉｒｓｔ＿ｓｙｎｔａｘ＿ｅｌｅｍｅｎｔ＿ｉｎ＿ｉｎｄｅｐｅｎｄｅｎｔ＿ｓｌｉｃｅは、対象シンタックス要素が独立スライスセグメント時の先頭シンタックス要素である場合に１となるフラグである。ｆｉｒｓｔ＿ｓｙｎｔａｘ＿ｅｌｅｍｅｎｔ＿ｉｎ＿ｔｉｌｅは、対象シンタックス要素がタイルの先頭シンタックス要素の場合に１となるフラグである。ｃａｂａｃ＿ｃｏｎｔｅｘｔ＿ｉｎｄｅｘはコンテキストインデックスを示す。ｆｉｒｓｔ＿ｓｙｎｔａｘ＿ｅｌｅｍｅｎｔ＿ｉｎ＿ｓｌｉｃｅ＿ｓｅｇｍｅｎｔは、対象シンタックス要素が独立／非独立を含めたスライスセグメントの先頭シンタックス要素の場合に１となるフラグである。ｆｉｒｓｔ＿ｓｙｎｔａｘ＿ｅｌｅｍｅｎｔ＿ｉｎ＿ｌｅｆｔ＿ｂｌｏｃｋ＿ＷＰＰは、対象シンタックス要素がＷＰＰ時の画面左端符号ブロックの先頭シンタックス要素の場合に１となるフラグである。ｉｎｉｔ＿ｃａｂａｃ＿ｅｎｇｉｎｅ＿ｔｙｐｅ＿ｆｌａｇは算術エンジン初期化タイプフラグである。ｉｎｉｔ＿ｃａｂａｃ＿ｅｎｇｉｎｅ＿ｒａｎｇｅはＲａｎｇｅ初期値を示す。ｉｎｉｔ＿ｃａｂａｃ＿ｅｎｇｉｎｅ＿ｌｏｗはＬｏｗ位置初期値を示す。Ｄｅｓｃｒｉｐｔｏｒは符号列の記述子を示し、ｕｅは符号なしゴロム符号を示し、ｕは符号なし整数値を示す。括弧内の数値はビット量を示し、ｖは可変長であることを示す。
【００６０】
なお、本実施の形態では、処理対象のシンタックス要素が、スライスセグメントまたはタイルの最初のシンタックス要素の場合、またはＷＰＰ時の画面左端符号ブロックの最初のシンタックス要素の場合に算術エンジン初期化タイプフラグを符号化しているが、算術エンジン初期化タイプフラグを、ピクチャ先頭で１回、もしくはシーケンス先頭で１回設定し、全スライス、全タイル、又は全符号ブロック列で算術エンジン初期化タイプフラグを共通に使用してもよい。そうすれば算術エンジン初期化タイプフラグの符号化回数を減らすことができるので符号量を削減することができる。
【００６１】
また、上記説明では、画像符号化装置１００は、ＷＰＰ時には右上の符号ブロックのコンテキストをコンテキスト初期値として使用しているが、その限りではなく、上の符号ブロック又は任意の場所の符号ブロックのコンテキストを使用してもよい。符号化対象の符号ブロックとの相関が高い符号ブロックのコンテキストを使用することによって符号化効率を向上させることができる。
【００６２】
また、上記説明では、画像符号化装置１００は、図５のＳ１４３、図６のＳ１５８及びＳ１５９でコンテキストインデックス、Ｒａｎｇｅ初期値及びＬｏｗ位置初期値をゴロム符号化しているが、他の符号化方法を用いてもよく、例えば固定長で符号化してもよい。また、画像符号化装置１００は、特定の値との差分を符号化してもよい。例えば、画像符号化装置１００は、「５１０」からＲａｎｇｅ初期値を減算した数値を符号化してもよい。画像符号化装置１００は、その減算の対象となる特定の値をピクチャ単位、スライス単位、又はタイル単位で設定しておいてもよいし、予測手段を用いてコンテキストインデックス、Ｒａｎｇｅ初期値、及びＬｏｗ位置初期値を予測し、予測値を減算対象となる特定の値に設定してもよい。そうすることにより符号化するデータに偏りを持たせることができるので、発生頻度の高いデータを短い符号長で符号化することができる。
【００６３】
また、上記説明では、画像符号化装置１００は、ＷＰＰ時又は非独立スライスセグメントの場合には格納コンテキストをコンテキスト初期値に設定しているが、独立スライスセグメント又はタイルと同様にコンテキストインデックスを用いてコンテキスト初期値を設定してもよい。コピーする対象の右上の符号ブロック又はスライスセグメントと符号化対象の符号ブロックとの相関が異なる場合はこうすることによって符号化効率を高めることができる。
【００６４】
更に、本実施の形態における処理は、ソフトウェアで実現してもよい。そして、このソフトウェアをダウンロード等により配布してもよい。また、このソフトウェアをＣＤ−ＲＯＭなどの記録媒体に記録して流布してもよい。なお、このことは、本明細書における他の実施の形態においても該当する。
【００６５】
（実施の形態２）
＜全体構成＞
図１１は、本実施の形態における画像復号装置２００の構成を示すブロック図である。図１１に示す画像復号装置２００は、可変長復号部２０１と、逆変換部２０２と、加算部２０３と、復号ブロック結合部２０４と、フレームメモリ２０５とを備える。
【００６６】
＜動作（全体）＞
次に、図１２を参照しつつ、復号処理全体のフローについて説明する。
【００６７】
まず、可変長復号部２０１は、符号列を可変長復号することで周波数変換された符号ブロックを取得する（Ｓ２１１）。
【００６８】
次に、逆変換部２０２は、周波数変換された符号ブロックを逆周波数変換することで復号差分ブロックを生成する（Ｓ２１２）。加算部２０３は、復号差分ブロックと、動き補償ブロックとを加算することで復号ブロックを生成する（Ｓ２１３）。画像復号装置２００は、復号対象画像内の全符号ブロックの復号が完了するまでＳ２１１からＳ２１３を繰り返す（Ｓ２１４）。
【００６９】
次に、復号ブロック結合部２０４は、復号対象画像内の復号ブロックを結合することで画像を復号する（Ｓ２１５）。また、得られた画像及び復号ブロックはフレームメモリ２０５に格納される。
【００７０】
以降、特徴的な可変長復号部２０１について詳細を説明する。
【００７１】
＜可変長復号部２０１の構成＞
図１３は、可変長復号部２０１の内部構成を示すブロック図である。図１３に示すように可変長復号部２０１は、ゴロム復号部２１１と、算術復号器初期値設定部２１２と、算術復号部２１３と、コンテキスト格納部２１４と、コンテキスト初期値設定部２１５と、多値化部２１６とを備える。
【００７２】
＜可変長復号処理＞
次に、図１４を参照しつつ、可変長復号処理について説明する。
【００７３】
まず、コンテキスト初期値設定部２１５は、算術復号時に使用するコンテキストの初期値を設定する（Ｓ２３１）。算術復号器初期値設定部２１２は、算術復号時に使用するＲａｎｇｅの初期値及びＬｏｗ位置の初期値を設定する（Ｓ２３２）。
【００７４】
次に算術復号部２１３は、符号列を算術復号することで二値信号を生成する（Ｓ２３３）。多値化部２１６は、二値信号から多値信号であるシンタックス要素を取得する（Ｓ２３４）。算術復号部２１３は、算術復号において、Ｒａｎｇｅ、Ｌｏｗ位置及びコンテキストの更新、正規化、並びにビット取得を行う。
【００７５】
次に、コンテキスト格納部２１４は、更新されたコンテキストを格納する（Ｓ２３５）。
【００７６】
可変長復号部２０１は、符号ブロック内の全シンタックス要素の復号が完了するまでＳ２３１からＳ２３５を繰り返す（Ｓ２３６）。
【００７７】
以降、特徴的なコンテキスト初期値設定処理（Ｓ２３１）、算術復号器初期値設定処理（Ｓ２３２）について詳細を説明する。なお、コンテキスト格納処理（Ｓ２３５）は実施の形態１のコンテキスト格納処理と同様であるため、説明を省略する。
【００７８】
＜コンテキスト初期値設定処理＞
図１５を参照しつつ、コンテキスト初期値設定処理（Ｓ２３１）について説明する。
【００７９】
処理対象のシンタックス要素が、独立スライスセグメントまたはタイルの最初のシンタックス要素である場合（Ｓ２４１でＹｅｓ）、ゴロム復号部２１１は、コンテキストインデックスをゴロム復号によって復号する（Ｓ２４２）。コンテキスト初期値設定部２１５は、そのコンテキストインデックスに応じた値をコンテキスト初期値として算術復号部２１３に設定する（Ｓ２４３）。
【００８０】
一方、処理対象のシンタックス要素が、ＷＰＰ時の画面左端符号ブロックの最初のシンタックス要素である場合（Ｓ２４４でＹｅｓ）、または非独立スライスセグメントの最初のシンタックス要素である場合（Ｓ２４５でＹｅｓ）、コンテキスト初期値設定部２１５は、コンテキスト格納部に格納されている格納コンテキストをコンテキスト初期値として算術復号部２１３に設定する（Ｓ２４６）。
【００８１】
＜算術復号器初期値設定処理＞
図１６を参照しつつ、算術復号器初期値設定処理（Ｓ２３２）について説明する。
【００８２】
処理対象のシンタックス要素が、スライスセグメントまたはタイルの最初のシンタックス要素である場合（Ｓ２５１でＹｅｓ）、またはＷＰＰ時の画面左端符号ブロックの最初のシンタックス要素である場合（Ｓ２５２でＹｅｓ）、算術復号器初期値設定部２１２は、算術エンジン初期化タイプフラグを符号列から取得する（Ｓ２５３）。ここでスライスセグメントは独立及び非独立両方のスライスセグメントを含む。
【００８３】
次に、算術エンジン初期化タイプフラグが「０」の場合（Ｓ２５４でＹｅｓ）、算術復号器初期値設定部２１２は、「５１０」をＲａｎｇｅ初期値として、「０」をＬｏｗ位置初期値として算術復号部２１３に設定する（Ｓ２５５及びＳ２５６）。つまり、算術復号器初期値設定部２１２は、固定値をＲａｎｇｅ及びＬｏｗ位置の初期値に設定する。
【００８４】
算術エンジン初期化タイプフラグが「１」の場合（Ｓ２５４でＮｏ）、ゴロム復号部２１１は、Ｒａｎｇｅ初期値及びＬｏｗ位置初期値をゴロム復号する（Ｓ２５７及びＳ２５８）。算術復号器初期値設定部２１２は、Ｒａｎｇｅ初期値及びＬｏｗ位置初期値を算術復号部２１３に設定する（Ｓ２５９及びＳ２６０）。
【００８５】
＜効果＞
以上により、本実施の形態に係る画像復号装置２００は、実施の形態１と同様の効果を実現できる。
【００８６】
以上、実施の形態に係る画像符号化方法に及び画像復号方法ついて説明したが、本発明は、この実施の形態に限定されるものではない。
【００８７】
また、上記実施の形態に係る画像符号化装置及び画像復号装置に含まれる各処理部は典型的には集積回路であるＬＳＩとして実現される。これらは個別に１チップ化されてもよいし、一部又は全てを含むように１チップ化されてもよい。
【００８８】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００８９】
上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【００９０】
言い換えると、画像符号化装置及び画像復号装置は、処理回路（ｐｒｏｃｅｓｓｉｎｇ  ｃｉｒｃｕｉｔｒｙ）と、当該処理回路に電気的に接続された（当該処理回路からアクセス可能な）記憶装置（ｓｔｏｒａｇｅ）とを備える。処理回路は、専用のハードウェア及びプログラム実行部の少なくとも一方を含む。また、記憶装置は、処理回路がプログラム実行部を含む場合には、当該プログラム実行部により実行されるソフトウェアプログラムを記憶する。処理回路は、記憶装置を用いて、上記実施の形態に係る画像符号化方法又は画像復号方法を実行する。
【００９１】
さらに、本発明は上記ソフトウェアプログラムであってもよいし、上記プログラムが記録された非一時的なコンピュータ読み取り可能な記録媒体であってもよい。また、上記プログラムは、インターネット等の伝送媒体を介して流通させることができるのは言うまでもない。
【００９２】
また、上記で用いた数字は、全て本発明を具体的に説明するために例示するものであり、本発明は例示された数字に制限されない。
【００９３】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００９４】
また、上記の予測画像生成方法、符号化方法又は復号方法に含まれるステップが実行される順序は、本発明を具体的に説明するために例示するためのものであり、上記以外の順序であってもよい。また、上記ステップの一部が、他のステップと同時（並列）に実行されてもよい。
【００９５】
また、各実施の形態において説明した処理は、単一の装置（システム）を用いて集中処理することによって実現してもよく、あるいは、複数の装置を用いて分散処理することによって実現してもよい。また、上記プログラムを実行するコンピュータは、単数であってもよく、複数であってもよい。すなわち、集中処理を行ってもよく、あるいは分散処理を行ってもよい。
【００９６】
以上、本発明の一つ又は複数の態様に係る予測画像生成装置、符号化装置及び復号装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つ又は複数の態様の範囲内に含まれてもよい。
【００９７】
（実施の形態３）
上記各実施の形態で示した動画像符号化方法（画像符号化方法）または動画像復号化方法（画像復号方法）の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【００９８】
さらにここで、上記各実施の形態で示した動画像符号化方法（画像符号化方法）や動画像復号化方法（画像復号方法）の応用例とそれを用いたシステムを説明する。当該システムは、画像符号化方法を用いた画像符号化装置、及び画像復号方法を用いた画像復号装置からなる画像符号化復号装置を有することを特徴とする。システムにおける他の構成について、場合に応じて適切に変更することができる。
【００９９】
図１７は、コンテンツ配信サービスを実現するコンテンツ供給システムex１００の全体構成を示す図である。通信サービスの提供エリアを所望の大きさに分割し、各セル内にそれぞれ固定無線局である基地局ex１０６、ex１０７、ex１０８、ex１０９、ex１１０が設置されている。
【０１００】
このコンテンツ供給システムex１００は、インターネットex１０１にインターネットサービスプロバイダex１０２および電話網ex１０４、および基地局ex１０６からex１１０を介して、コンピュータex１１１、ＰＤＡ（Personal Digital Assistant）ex１１２、カメラex１１３、携帯電話ex１１４、ゲーム機ex１１５などの各機器が接続される。
【０１０１】
しかし、コンテンツ供給システムex１００は図１７のような構成に限定されず、いずれかの要素を組合せて接続するようにしてもよい。また、固定無線局である基地局ex１０６からex１１０を介さずに、各機器が電話網ex１０４に直接接続されてもよい。また、各機器が近距離無線等を介して直接相互に接続されていてもよい。
【０１０２】
カメラex１１３はデジタルビデオカメラ等の動画撮影が可能な機器であり、カメラex１１６はデジタルカメラ等の静止画撮影、動画撮影が可能な機器である。また、携帯電話ex１１４は、ＧＳＭ（登録商標）（Global System for Mobile Communications）方式、ＣＤＭＡ（Code Division Multiple Access）方式、Ｗ−ＣＤＭＡ（Wideband-Code Division Multiple Access）方式、若しくはＬＴＥ（Long Term Evolution）方式、ＨＳＰＡ(High Speed Packet Access)の携帯電話機、またはＰＨＳ（Personal Handyphone System）等であり、いずれでも構わない。
【０１０３】
コンテンツ供給システムex１００では、カメラex１１３等が基地局ex１０９、電話網ex１０４を通じてストリーミングサーバex１０３に接続されることで、ライブ配信等が可能になる。ライブ配信では、ユーザがカメラex１１３を用いて撮影するコンテンツ（例えば、音楽ライブの映像等）に対して上記各実施の形態で説明したように符号化処理を行い（即ち、本発明の一態様に係る画像符号化装置として機能する）、ストリーミングサーバex１０３に送信する。一方、ストリーミングサーバex１０３は要求のあったクライアントに対して送信されたコンテンツデータをストリーム配信する。クライアントとしては、上記符号化処理されたデータを復号化することが可能な、コンピュータex１１１、ＰＤＡex１１２、カメラex１１３、携帯電話ex１１４、ゲーム機ex１１５等がある。配信されたデータを受信した各機器では、受信したデータを復号化処理して再生する（即ち、本発明の一態様に係る画像復号装置として機能する）。
【０１０４】
なお、撮影したデータの符号化処理はカメラex１１３で行っても、データの送信処理をするストリーミングサーバex１０３で行ってもよいし、互いに分担して行ってもよい。同様に配信されたデータの復号化処理はクライアントで行っても、ストリーミングサーバex１０３で行ってもよいし、互いに分担して行ってもよい。また、カメラex１１３に限らず、カメラex１１６で撮影した静止画像および／または動画像データを、コンピュータex１１１を介してストリーミングサーバex１０３に送信してもよい。この場合の符号化処理はカメラex１１６、コンピュータex１１１、ストリーミングサーバex１０３のいずれで行ってもよいし、互いに分担して行ってもよい。
【０１０５】
また、これら符号化・復号化処理は、一般的にコンピュータex１１１や各機器が有するＬＳＩex５００において処理する。ＬＳＩex５００は、ワンチップであっても複数チップからなる構成であってもよい。なお、動画像符号化・復号化用のソフトウェアをコンピュータex１１１等で読み取り可能な何らかの記録メディア（ＣＤ−ＲＯＭ、フレキシブルディスク、ハードディスクなど）に組み込み、そのソフトウェアを用いて符号化・復号化処理を行ってもよい。さらに、携帯電話ex１１４がカメラ付きである場合には、そのカメラで取得した動画データを送信してもよい。このときの動画データは携帯電話ex１１４が有するＬＳＩex５００で符号化処理されたデータである。
【０１０６】
また、ストリーミングサーバex１０３は複数のサーバや複数のコンピュータであって、データを分散して処理したり記録したり配信するものであってもよい。
【０１０７】
以上のようにして、コンテンツ供給システムex１００では、符号化されたデータをクライアントが受信して再生することができる。このようにコンテンツ供給システムex１００では、ユーザが送信した情報をリアルタイムでクライアントが受信して復号化し、再生することができ、特別な権利や設備を有さないユーザでも個人放送を実現できる。
【０１０８】
なお、コンテンツ供給システムex１００の例に限らず、図１８に示すように、デジタル放送用システムex２００にも、上記各実施の形態の少なくとも動画像符号化装置（画像符号化装置）または動画像復号化装置（画像復号装置）のいずれかを組み込むことができる。具体的には、放送局ex２０１では映像データに音楽データなどが多重化された多重化データが電波を介して通信または衛星ex２０２に伝送される。この映像データは上記各実施の形態で説明した動画像符号化方法により符号化されたデータである（即ち、本発明の一態様に係る画像符号化装置によって符号化されたデータである）。これを受けた放送衛星ex２０２は、放送用の電波を発信し、この電波を衛星放送の受信が可能な家庭のアンテナex２０４が受信する。受信した多重化データを、テレビ（受信機）ex３００またはセットトップボックス（ＳＴＢ）ex２１７等の装置が復号化して再生する（即ち、本発明の一態様に係る画像復号装置として機能する）。
【０１０９】
また、ＤＶＤ、ＢＤ等の記録メディアex２１５に記録した多重化データを読み取り復号化する、または記録メディアex２１５に映像信号を符号化し、さらに場合によっては音楽信号と多重化して書き込むリーダ／レコーダex２１８にも上記各実施の形態で示した動画像復号化装置または動画像符号化装置を実装することが可能である。この場合、再生された映像信号はモニタex２１９に表示され、多重化データが記録された記録メディアex２１５により他の装置やシステムにおいて映像信号を再生することができる。また、ケーブルテレビ用のケーブルex２０３または衛星／地上波放送のアンテナex２０４に接続されたセットトップボックスex２１７内に動画像復号化装置を実装し、これをテレビのモニタex２１９で表示してもよい。このときセットトップボックスではなく、テレビ内に動画像復号化装置を組み込んでもよい。
【０１１０】
図１９は、上記各実施の形態で説明した動画像復号化方法および動画像符号化方法を用いたテレビ（受信機）ex３００を示す図である。テレビex３００は、上記放送を受信するアンテナex２０４またはケーブルex２０３等を介して映像データに音声データが多重化された多重化データを取得、または出力するチューナex３０１と、受信した多重化データを復調する、または外部に送信する多重化データに変調する変調／復調部ex３０２と、復調した多重化データを映像データと、音声データとに分離する、または信号処理部ex３０６で符号化された映像データ、音声データを多重化する多重／分離部ex３０３を備える。
【０１１１】
また、テレビex３００は、音声データ、映像データそれぞれを復号化する、またはそれぞれの情報を符号化する音声信号処理部ex３０４、映像信号処理部ex３０５（本発明の一態様に係る画像符号化装置または画像復号装置として機能する）を有する信号処理部ex３０６と、復号化した音声信号を出力するスピーカex３０７、復号化した映像信号を表示するディスプレイ等の表示部ex３０８を有する出力部ex３０９とを有する。さらに、テレビex３００は、ユーザ操作の入力を受け付ける操作入力部ex３１２等を有するインタフェース部ex３１７を有する。さらに、テレビex３００は、各部を統括的に制御する制御部ex３１０、各部に電力を供給する電源回路部ex３１１を有する。インタフェース部ex３１７は、操作入力部ex３１２以外に、リーダ／レコーダex２１８等の外部機器と接続されるブリッジex３１３、ＳＤカード等の記録メディアex２１６を装着可能とするためのスロット部ex３１４、ハードディスク等の外部記録メディアと接続するためのドライバex３１５、電話網と接続するモデムex３１６等を有していてもよい。なお記録メディアex２１６は、格納する不揮発性／揮発性の半導体メモリ素子により電気的に情報の記録を可能としたものである。テレビex３００の各部は同期バスを介して互いに接続されている。
【０１１２】
まず、テレビex３００がアンテナex２０４等により外部から取得した多重化データを復号化し、再生する構成について説明する。テレビex３００は、リモートコントローラex２２０等からのユーザ操作を受け、ＣＰＵ等を有する制御部ex３１０の制御に基づいて、変調／復調部ex３０２で復調した多重化データを多重／分離部ex３０３で分離する。さらにテレビex３００は、分離した音声データを音声信号処理部ex３０４で復号化し、分離した映像データを映像信号処理部ex３０５で上記各実施の形態で説明した復号化方法を用いて復号化する。復号化した音声信号、映像信号は、それぞれ出力部ex３０９から外部に向けて出力される。出力する際には、音声信号と映像信号が同期して再生するよう、バッファex３１８、ex３１９等に一旦これらの信号を蓄積するとよい。また、テレビex３００は、放送等からではなく、磁気／光ディスク、ＳＤカード等の記録メディアex２１５、ex２１６から多重化データを読み出してもよい。次に、テレビex３００が音声信号や映像信号を符号化し、外部に送信または記録メディア等に書き込む構成について説明する。テレビex３００は、リモートコントローラex２２０等からのユーザ操作を受け、制御部ex３１０の制御に基づいて、音声信号処理部ex３０４で音声信号を符号化し、映像信号処理部ex３０５で映像信号を上記各実施の形態で説明した符号化方法を用いて符号化する。符号化した音声信号、映像信号は多重／分離部ex３０３で多重化され外部に出力される。多重化する際には、音声信号と映像信号が同期するように、バッファex３２０、ex３２１等に一旦これらの信号を蓄積するとよい。なお、バッファex３１８、ex３１９、ex３２０、ex３２１は図示しているように複数備えていてもよいし、１つ以上のバッファを共有する構成であってもよい。さらに、図示している以外に、例えば変調／復調部ex３０２や多重／分離部ex３０３の間等でもシステムのオーバフロー、アンダーフローを避ける緩衝材としてバッファにデータを蓄積することとしてもよい。
【０１１３】
また、テレビex３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビex３００は上記の符号化処理、多重化、および外部出力ができる構成として説明したが、これらの処理を行うことはできず、上記受信、復号化処理、外部出力のみが可能な構成であってもよい。
【０１１４】
また、リーダ／レコーダex２１８で記録メディアから多重化データを読み出す、または書き込む場合には、上記復号化処理または符号化処理はテレビex３００、リーダ／レコーダex２１８のいずれで行ってもよいし、テレビex３００とリーダ／レコーダex２１８が互いに分担して行ってもよい。
【０１１５】
一例として、光ディスクからデータの読み込みまたは書き込みをする場合の情報再生／記録部ex４００の構成を図２０に示す。情報再生／記録部ex４００は、以下に説明する要素ex４０１、ex４０２、ex４０３、ex４０４、ex４０５、ex４０６、ex４０７を備える。光ヘッドex４０１は、光ディスクである記録メディアex２１５の記録面にレーザスポットを照射して情報を書き込み、記録メディアex２１５の記録面からの反射光を検出して情報を読み込む。変調記録部ex４０２は、光ヘッドex４０１に内蔵された半導体レーザを電気的に駆動し記録データに応じてレーザ光の変調を行う。再生復調部ex４０３は、光ヘッドex４０１に内蔵されたフォトディテクタにより記録面からの反射光を電気的に検出した再生信号を増幅し、記録メディアex２１５に記録された信号成分を分離して復調し、必要な情報を再生する。バッファex４０４は、記録メディアex２１５に記録するための情報および記録メディアex２１５から再生した情報を一時的に保持する。ディスクモータex４０５は記録メディアex２１５を回転させる。サーボ制御部ex４０６は、ディスクモータex４０５の回転駆動を制御しながら光ヘッドex４０１を所定の情報トラックに移動させ、レーザスポットの追従処理を行う。システム制御部ex４０７は、情報再生／記録部ex４００全体の制御を行う。上記の読み出しや書き込みの処理はシステム制御部ex４０７が、バッファex４０４に保持された各種情報を利用し、また必要に応じて新たな情報の生成・追加を行うと共に、変調記録部ex４０２、再生復調部ex４０３、サーボ制御部ex４０６を協調動作させながら、光ヘッドex４０１を通して、情報の記録再生を行うことにより実現される。システム制御部ex４０７は例えばマイクロプロセッサで構成され、読み出し書き込みのプログラムを実行することでそれらの処理を実行する。
【０１１６】
以上では、光ヘッドex４０１はレーザスポットを照射するとして説明したが、近接場光を用いてより高密度な記録を行う構成であってもよい。
【０１１７】
図２１に光ディスクである記録メディアex２１５の模式図を示す。記録メディアex２１５の記録面には案内溝（グルーブ）がスパイラル状に形成され、情報トラックex２３０には、予めグルーブの形状の変化によってディスク上の絶対位置を示す番地情報が記録されている。この番地情報はデータを記録する単位である記録ブロックex２３１の位置を特定するための情報を含み、記録や再生を行う装置において情報トラックex２３０を再生し番地情報を読み取ることで記録ブロックを特定することができる。また、記録メディアex２１５は、データ記録領域ex２３３、内周領域ex２３２、外周領域ex２３４を含んでいる。ユーザデータを記録するために用いる領域がデータ記録領域ex２３３であり、データ記録領域ex２３３より内周または外周に配置されている内周領域ex２３２と外周領域ex２３４は、ユーザデータの記録以外の特定用途に用いられる。情報再生／記録部ex４００は、このような記録メディアex２１５のデータ記録領域ex２３３に対して、符号化された音声データ、映像データまたはそれらのデータを多重化した多重化データの読み書きを行う。
【０１１８】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【０１１９】
また、デジタル放送用システムex２００において、アンテナex２０５を有する車ex２１０で衛星ex２０２等からデータを受信し、車ex２１０が有するカーナビゲーションex２１１等の表示装置に動画を再生することも可能である。なお、カーナビゲーションex２１１の構成は例えば図１９に示す構成のうち、ＧＰＳ受信部を加えた構成が考えられ、同様なことがコンピュータex１１１や携帯電話ex１１４等でも考えられる。
【０１２０】
図２２Ａは、上記実施の形態で説明した動画像復号化方法および動画像符号化方法を用いた携帯電話ex１１４を示す図である。携帯電話ex１１４は、基地局ex１１０との間で電波を送受信するためのアンテナex３５０、映像、静止画を撮ることが可能なカメラ部ex３６５、カメラ部ex３６５で撮像した映像、アンテナex３５０で受信した映像等が復号化されたデータを表示する液晶ディスプレイ等の表示部ex３５８を備える。携帯電話ex１１４は、さらに、操作キー部ex３６６を有する本体部、音声を出力するためのスピーカ等である音声出力部ex３５７、音声を入力するためのマイク等である音声入力部ex３５６、撮影した映像、静止画、録音した音声、または受信した映像、静止画、メール等の符号化されたデータもしくは復号化されたデータを保存するメモリ部ex３６７、又は同様にデータを保存する記録メディアとのインタフェース部であるスロット部ex３６４を備える。
【０１２１】
さらに、携帯電話ex１１４の構成例について、図２２Ｂを用いて説明する。携帯電話ex１１４は、表示部ex３５８及び操作キー部ex３６６を備えた本体部の各部を統括的に制御する主制御部ex３６０に対して、電源回路部ex３６１、操作入力制御部ex３６２、映像信号処理部ex３５５、カメラインタフェース部ex３６３、ＬＣＤ（Liquid Crystal Display）制御部ex３５９、変調／復調部ex３５２、多重／分離部ex３５３、音声信号処理部ex３５４、スロット部ex３６４、メモリ部ex３６７がバスex３７０を介して互いに接続されている。
【０１２２】
電源回路部ex３６１は、ユーザの操作により終話及び電源キーがオン状態にされると、バッテリパックから各部に対して電力を供給することにより携帯電話ex１１４を動作可能な状態に起動する。
【０１２３】
携帯電話ex１１４は、ＣＰＵ、ＲＯＭ、ＲＡＭ等を有する主制御部ex３６０の制御に基づいて、音声通話モード時に音声入力部ex３５６で収音した音声信号を音声信号処理部ex３５４でデジタル音声信号に変換し、これを変調／復調部ex３５２でスペクトラム拡散処理し、送信／受信部ex３５１でデジタルアナログ変換処理および周波数変換処理を施した後にアンテナex３５０を介して送信する。また携帯電話ex１１４は、音声通話モード時にアンテナex３５０を介して受信した受信データを増幅して周波数変換処理およびアナログデジタル変換処理を施し、変調／復調部ex３５２でスペクトラム逆拡散処理し、音声信号処理部ex３５４でアナログ音声信号に変換した後、これを音声出力部ex３５７から出力する。
【０１２４】
さらにデータ通信モード時に電子メールを送信する場合、本体部の操作キー部ex３６６等の操作によって入力された電子メールのテキストデータは操作入力制御部ex３６２を介して主制御部ex３６０に送出される。主制御部ex３６０は、テキストデータを変調／復調部ex３５２でスペクトラム拡散処理をし、送信／受信部ex３５１でデジタルアナログ変換処理および周波数変換処理を施した後にアンテナex３５０を介して基地局ex１１０へ送信する。電子メールを受信する場合は、受信したデータに対してこのほぼ逆の処理が行われ、表示部ex３５８に出力される。
【０１２５】
データ通信モード時に映像、静止画、または映像と音声を送信する場合、映像信号処理部ex３５５は、カメラ部ex３６５から供給された映像信号を上記各実施の形態で示した動画像符号化方法によって圧縮符号化し（即ち、本発明の一態様に係る画像符号化装置として機能する）、符号化された映像データを多重／分離部ex３５３に送出する。また、音声信号処理部ex３５４は、映像、静止画等をカメラ部ex３６５で撮像中に音声入力部ex３５６で収音した音声信号を符号化し、符号化された音声データを多重／分離部ex３５３に送出する。
【０１２６】
多重／分離部ex３５３は、映像信号処理部ex３５５から供給された符号化された映像データと音声信号処理部ex３５４から供給された符号化された音声データを所定の方式で多重化し、その結果得られる多重化データを変調／復調部（変調／復調回路部）ex３５２でスペクトラム拡散処理をし、送信／受信部ex３５１でデジタルアナログ変換処理及び周波数変換処理を施した後にアンテナex３５０を介して送信する。
【０１２７】
データ通信モード時にホームページ等にリンクされた動画像ファイルのデータを受信する場合、または映像およびもしくは音声が添付された電子メールを受信する場合、アンテナex３５０を介して受信された多重化データを復号化するために、多重／分離部ex３５３は、多重化データを分離することにより映像データのビットストリームと音声データのビットストリームとに分け、同期バスex３７０を介して符号化された映像データを映像信号処理部ex３５５に供給するとともに、符号化された音声データを音声信号処理部ex３５４に供給する。映像信号処理部ex３５５は、上記各実施の形態で示した動画像符号化方法に対応した動画像復号化方法によって復号化することにより映像信号を復号し（即ち、本発明の一態様に係る画像復号装置として機能する）、ＬＣＤ制御部ex３５９を介して表示部ex３５８から、例えばホームページにリンクされた動画像ファイルに含まれる映像、静止画が表示される。また音声信号処理部ex３５４は、音声信号を復号し、音声出力部ex３５７から音声が出力される。
【０１２８】
また、上記携帯電話ex１１４等の端末は、テレビex３００と同様に、符号化器・復号化器を両方持つ送受信型端末の他に、符号化器のみの送信端末、復号化器のみの受信端末という３通りの実装形式が考えられる。さらに、デジタル放送用システムex２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【０１２９】
このように、上記各実施の形態で示した動画像符号化方法あるいは動画像復号化方法を上述したいずれの機器・システムに用いることは可能であり、そうすることで、上記各実施の形態で説明した効果を得ることができる。
【０１３０】
また、本発明はかかる上記実施の形態に限定されるものではなく、本発明の範囲を逸脱することなく種々の変形または修正が可能である。
【０１３１】
（実施の形態４）
上記各実施の形態で示した動画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【０１３２】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【０１３３】
この課題を解決するために、映像データに音声データなどを多重化した多重化データは、映像データがどの規格に準拠するものであるかを示す識別情報を含む構成とする。上記各実施の形態で示す動画像符号化方法または装置によって生成された映像データを含む多重化データの具体的な構成を以下説明する。多重化データは、ＭＰＥＧ−２トランスポートストリーム形式のデジタルストリームである。
【０１３４】
図２３は、多重化データの構成を示す図である。図２３に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した動画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【０１３５】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０１３６】
図２４は、多重化データがどのように多重化されるかを模式的に示す図である。まず、複数のビデオフレームからなるビデオストリームex２３５、複数のオーディオフレームからなるオーディオストリームex２３８を、それぞれＰＥＳパケット列ex２３６およびex２３９に変換し、ＴＳパケットex２３７およびex２４０に変換する。同じくプレゼンテーショングラフィックスストリームex２４１およびインタラクティブグラフィックスex２４４のデータをそれぞれＰＥＳパケット列ex２４２およびex２４５に変換し、さらにＴＳパケットex２４３およびex２４６に変換する。多重化データex２４７はこれらのＴＳパケットを１本のストリームに多重化することで構成される。
【０１３７】
図２５は、ＰＥＳパケット列に、ビデオストリームがどのように格納されるかをさらに詳しく示している。図２５における第１段目はビデオストリームのビデオフレーム列を示す。第２段目は、ＰＥＳパケット列を示す。図２５の矢印ｙｙ１，ｙｙ２，ｙｙ３，ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０１３８】
図２６は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図２６下段に示すようにソースパケットが並ぶこととなり、多重化データの先頭からインクリメントする番号はＳＰＮ（ソースパケットナンバー）と呼ばれる。
【０１３９】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０１４０】
図２７はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０１４１】
記録媒体などに記録する場合には、上記多重化データは、多重化データ情報ファイルと共に記録される。
【０１４２】
多重化データ情報ファイルは、図２８に示すように多重化データの管理情報であり、多重化データと１対１に対応し、多重化データ情報、ストリーム属性情報とエントリマップから構成される。
【０１４３】
多重化データ情報は図２８に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０１４４】
ストリーム属性情報は図２９に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０１４５】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【０１４６】
また、本実施の形態における動画像復号化方法のステップを図３０に示す。ステップexＳ１００において、多重化データからＰＭＴに含まれるストリームタイプ、または、多重化データ情報に含まれるビデオストリーム属性情報を取得する。次に、ステップexＳ１０１において、ストリームタイプ、または、ビデオストリーム属性情報が上記各実施の形態で示した動画像符号化方法または装置によって生成された多重化データであることを示しているか否かを判断する。そして、ストリームタイプ、または、ビデオストリーム属性情報が上記各実施の形態で示した動画像符号化方法または装置によって生成されたものであると判断された場合には、ステップexＳ１０２において、上記各実施の形態で示した動画像復号方法により復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップexＳ１０３において、従来の規格に準拠した動画像復号方法により復号を行う。
【０１４７】
このように、ストリームタイプ、または、ビデオストリーム属性情報に新たな固有値を設定することにより、復号する際に、上記各実施の形態で示した動画像復号化方法または装置で復号可能であるかを判断することができる。従って、異なる規格に準拠する多重化データが入力された場合であっても、適切な復号化方法または装置を選択することができるため、エラーを生じることなく復号することが可能となる。また、本実施の形態で示した動画像符号化方法または装置、または、動画像復号方法または装置を、上述したいずれの機器・システムに用いることも可能である。
【０１４８】
（実施の形態５）
上記各実施の形態で示した動画像符号化方法および装置、動画像復号化方法および装置は、典型的には集積回路であるＬＳＩで実現される。一例として、図３１に１チップ化されたＬＳＩex５００の構成を示す。ＬＳＩex５００は、以下に説明する要素ex５０１、ex５０２、ex５０３、ex５０４、ex５０５、ex５０６、ex５０７、ex５０８、ex５０９を備え、各要素はバスex５１０を介して接続している。電源回路部ex５０５は電源がオン状態の場合に各部に対して電力を供給することで動作可能な状態に起動する。
【０１４９】
例えば符号化処理を行う場合には、ＬＳＩex５００は、ＣＰＵex５０２、メモリコントローラex５０３、ストリームコントローラex５０４、駆動周波数制御部ex５１２等を有する制御部ex５０１の制御に基づいて、ＡＶ  Ｉ／Ｏex５０９によりマイクex１１７やカメラex１１３等からＡＶ信号を入力する。入力されたＡＶ信号は、一旦ＳＤＲＡＭ等の外部のメモリex５１１に蓄積される。制御部ex５０１の制御に基づいて、蓄積したデータは処理量や処理速度に応じて適宜複数回に分けるなどされ信号処理部ex５０７に送られ、信号処理部ex５０７において音声信号の符号化および／または映像信号の符号化が行われる。ここで映像信号の符号化処理は上記各実施の形態で説明した符号化処理である。信号処理部ex５０７ではさらに、場合により符号化された音声データと符号化された映像データを多重化するなどの処理を行い、ストリームＩ／Ｏex５０６から外部に出力する。この出力された多重化データは、基地局ex１０７に向けて送信されたり、または記録メディアex２１５に書き込まれたりする。なお、多重化する際には同期するよう、一旦バッファex５０８にデータを蓄積するとよい。
【０１５０】
なお、上記では、メモリex５１１がＬＳＩex５００の外部の構成として説明したが、ＬＳＩex５００の内部に含まれる構成であってもよい。バッファex５０８も１つに限ったものではなく、複数のバッファを備えていてもよい。また、ＬＳＩex５００は１チップ化されてもよいし、複数チップ化されてもよい。
【０１５１】
また、上記では、制御部ex５０１が、ＣＰＵex５０２、メモリコントローラex５０３、ストリームコントローラex５０４、駆動周波数制御部ex５１２等を有するとしているが、制御部ex５０１の構成は、この構成に限らない。例えば、信号処理部ex５０７がさらにＣＰＵを備える構成であってもよい。信号処理部ex５０７の内部にもＣＰＵを設けることにより、処理速度をより向上させることが可能になる。また、他の例として、ＣＰＵex５０２が信号処理部ex５０７、または信号処理部ex５０７の一部である例えば音声信号処理部を備える構成であってもよい。このような場合には、制御部ex５０１は、信号処理部ex５０７、またはその一部を有するＣＰＵex５０２を備える構成となる。
【０１５２】
なお、ここでは、ＬＳＩとしたが、集積度の違いにより、ＩＣ、システムＬＳＩ、スーパーＬＳＩ、ウルトラＬＳＩと呼称されることもある。
【０１５３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。このようなプログラマブル・ロジック・デバイスは、典型的には、ソフトウェア又はファームウェアを構成するプログラムを、ロードする又はメモリ等から読み込むことで、上記各実施の形態で示した動画像符号化方法、又は動画像復号化方法を実行することができる。
【０１５４】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１５５】
（実施の形態６）
上記各実施の形態で示した動画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩex５００において、従来の規格に準拠する映像データを復号する際のＣＰＵex５０２の駆動周波数よりも高い駆動周波数に設定する必要がある。しかし、駆動周波数を高くすると、消費電力が高くなるという課題が生じる。
【０１５６】
この課題を解決するために、テレビex３００、ＬＳＩex５００などの動画像復号化装置は、映像データがどの規格に準拠するものであるかを識別し、規格に応じて駆動周波数を切替える構成とする。図３２は、本実施の形態における構成ex８００を示している。駆動周波数切替え部ex８０３は、映像データが、上記各実施の形態で示した動画像符号化方法または装置によって生成されたものである場合には、駆動周波数を高く設定する。そして、上記各実施の形態で示した動画像復号化方法を実行する復号処理部ex８０１に対し、映像データを復号するよう指示する。一方、映像データが、従来の規格に準拠する映像データである場合には、映像データが、上記各実施の形態で示した動画像符号化方法または装置によって生成されたものである場合に比べ、駆動周波数を低く設定する。そして、従来の規格に準拠する復号処理部ex８０２に対し、映像データを復号するよう指示する。
【０１５７】
より具体的には、駆動周波数切替え部ex８０３は、図３１のＣＰＵex５０２と駆動周波数制御部ex５１２から構成される。また、上記各実施の形態で示した動画像復号化方法を実行する復号処理部ex８０１、および、従来の規格に準拠する復号処理部ex８０２は、図３１の信号処理部ex５０７に該当する。ＣＰＵex５０２は、映像データがどの規格に準拠するものであるかを識別する。そして、ＣＰＵex５０２からの信号に基づいて、駆動周波数制御部ex５１２は、駆動周波数を設定する。また、ＣＰＵex５０２からの信号に基づいて、信号処理部ex５０７は、映像データの復号を行う。ここで、映像データの識別には、例えば、実施の形態４で記載した識別情報を利用することが考えられる。識別情報に関しては、実施の形態４で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵex５０２における駆動周波数の選択は、例えば、図３４のような映像データの規格と、駆動周波数とを対応付けたルックアップテーブルに基づいて行うことが考えられる。ルックアップテーブルを、バッファex５０８や、ＬＳＩの内部メモリに格納しておき、ＣＰＵex５０２がこのルックアップテーブルを参照することにより、駆動周波数を選択することが可能である。
【０１５８】
図３３は、本実施の形態の方法を実施するステップを示している。まず、ステップexＳ２００では、信号処理部ex５０７において、多重化データから識別情報を取得する。次に、ステップexＳ２０１では、ＣＰＵex５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップexＳ２０２において、駆動周波数を高く設定する信号を、ＣＰＵex５０２が駆動周波数制御部ex５１２に送る。そして、駆動周波数制御部ex５１２において、高い駆動周波数に設定される。一方、従来のＭＰＥＧ−２、ＭＰＥＧ４−ＡＶＣ、ＶＣ−１などの規格に準拠する映像データであることを示している場合には、ステップexＳ２０３において、駆動周波数を低く設定する信号を、ＣＰＵex５０２が駆動周波数制御部ex５１２に送る。そして、駆動周波数制御部ex５１２において、映像データが上記各実施の形態で示した符号化方法または装置によって生成されたものである場合に比べ、低い駆動周波数に設定される。
【０１５９】
さらに、駆動周波数の切替えに連動して、ＬＳＩex５００またはＬＳＩex５００を含む装置に与える電圧を変更することにより、省電力効果をより高めることが可能である。例えば、駆動周波数を低く設定する場合には、これに伴い、駆動周波数を高く設定している場合に比べ、ＬＳＩex５００またはＬＳＩex５００を含む装置に与える電圧を低く設定することが考えられる。
【０１６０】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した動画像符号化方法または装置により生成された映像データを復号する処理量よりも大きい場合には、駆動周波数の設定を上述した場合の逆にすることが考えられる。
【０１６１】
さらに、駆動周波数の設定方法は、駆動周波数を低くする構成に限らない。例えば、識別情報が、上記各実施の形態で示した動画像符号化方法または装置によって生成された映像データであることを示している場合には、ＬＳＩex５００またはＬＳＩex５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩex５００またはＬＳＩex５００を含む装置に与える電圧を低く設定することも考えられる。また、他の例としては、識別情報が、上記各実施の形態で示した動画像符号化方法または装置によって生成された映像データであることを示している場合には、ＣＰＵex５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵex５０２の駆動を一時停止させることも考えられる。識別情報が、上記各実施の形態で示した動画像符号化方法または装置によって生成された映像データであることを示している場合であっても、処理に余裕があれば、ＣＰＵex５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０１６２】
このように、映像データが準拠する規格に応じて、駆動周波数を切替えることにより、省電力化を図ることが可能になる。また、電池を用いてＬＳＩex５００またはＬＳＩex５００を含む装置を駆動している場合には、省電力化に伴い、電池の寿命を長くすることが可能である。
【０１６３】
（実施の形態７）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩex５００の信号処理部ex５０７が複数の規格に対応している必要がある。しかし、それぞれの規格に対応する信号処理部ex５０７を個別に用いると、ＬＳＩex５００の回路規模が大きくなり、また、コストが増加するという課題が生じる。
【０１６４】
この課題を解決するために、上記各実施の形態で示した動画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図３５Ａのex９００に示す。例えば、上記各実施の形態で示した動画像復号方法と、ＭＰＥＧ４−ＡＶＣ規格に準拠する動画像復号方法とは、エントロピー符号化、逆量子化、デブロッキング・フィルタ、動き補償などの処理において処理内容が一部共通する。共通する処理内容については、ＭＰＥＧ４−ＡＶＣ規格に対応する復号処理部ex９０２を共有し、ＭＰＥＧ４−ＡＶＣ規格に対応しない、本発明の一態様に特有の他の処理内容については、専用の復号処理部ex９０１を用いるという構成が考えられる。特に、本発明の一態様は、エントロピー符号化に特徴を有していることから、例えば、エントロピー符号化については専用の復号処理部ex９０１を用い、それ以外の逆量子化、デブロッキング・フィルタ、動き補償のいずれか、または、全ての処理については、復号処理部を共有することが考えられる。復号処理部の共有化に関しては、共通する処理内容については、上記各実施の形態で示した動画像復号化方法を実行するための復号処理部を共有し、ＭＰＥＧ４−ＡＶＣ規格に特有の処理内容については、専用の復号処理部を用いる構成であってもよい。
【０１６５】
また、処理を一部共有化する他の例を図３５Ｂのex１０００に示す。この例では、本発明の一態様に特有の処理内容に対応した専用の復号処理部ex１００１と、他の従来規格に特有の処理内容に対応した専用の復号処理部ex１００２と、本発明の一態様に係る動画像復号方法と他の従来規格の動画像復号方法とに共通する処理内容に対応した共用の復号処理部ex１００３とを用いる構成としている。ここで、専用の復号処理部ex１００１、ex１００２は、必ずしも本発明の一態様、または、他の従来規格に特有の処理内容に特化したものではなく、他の汎用処理を実行できるものであってもよい。また、本実施の形態の構成を、ＬＳＩex５００で実装することも可能である。
【０１６６】
このように、本発明の一態様に係る動画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０１６７】
本発明は、画像処理装置、画像の撮像装置及び画像の再生装置に適用可能である。具体的には、デジタルスチルカメラ、ムービー、カメラ機能付き携帯電話機、及びスマートフォンなどに、本発明は適用可能である。
【符号の説明】
【０１６８】
１００  画像符号化装置
１０１  符号ブロック分割部
１０２  減算部
１０３  変換部
１０４  可変長符号化部
１０５  逆変換部
１０６  加算部
１０７  フレームメモリ
１０８  予測部
１１１  二値化部
１１２  算術符号化部
１１３  コンテキスト格納部
１１４  コンテキスト初期値設定部
１１５  算術符号化器データ格納部
１１６  算術符号化器初期値設定部
１１７  ゴロム符号化部
２００  画像復号装置
２０１  可変長復号部
２０２  逆変換部
２０３  加算部
２０４  復号ブロック結合部
２０５フレームメモリ
２１１  ゴロム復号部
２１２  算術復号器初期値設定部
２１３  算術復号部
２１４  コンテキスト格納部
２１５  コンテキスト初期値設定部
２１６  多値化部
【図１】
0006717562.tif 000002
【図２】
0006717562.tif 000003
【図３】
0006717562.tif 000004
【図４】
0006717562.tif 000005
【図５】
0006717562.tif 000006
【図６】
0006717562.tif 000007
【図７】
0006717562.tif 000008
【図８】
0006717562.tif 000009
【図９】
0006717562.tif 000010
【図１０】
0006717562.tif 000011
【図１１】
0006717562.tif 000012
【図１２】
0006717562.tif 000013
【図１３】
0006717562.tif 000014
【図１４】
0006717562.tif 000015
【図１５】
0006717562.tif 000016
【図１６】
0006717562.tif 000017
【図１７】
0006717562.tif 000018
【図１８】
0006717562.tif 000019
【図１９】
0006717562.tif 000020
【図２０】
0006717562.tif 000021
【図２１】
0006717562.tif 000022
【図２２Ａ】
0006717562.tif 000023
【図２２Ｂ】
0006717562.tif 000024
【図２３】
0006717562.tif 000025
【図２４】
0006717562.tif 000026
【図２５】
0006717562.tif 000027
【図２６】
0006717562.tif 000028
【図２７】
0006717562.tif 000029
【図２８】
0006717562.tif 000030
【図２９】
0006717562.tif 000031
【図３０】
0006717562.tif 000032
【図３１】
0006717562.tif 000033
【図３２】
0006717562.tif 000034
【図３３】
0006717562.tif 000035
【図３４】
0006717562.tif 000036
【図３５Ａ】
0006717562.tif 000037
【図３５Ｂ】
0006717562.tif 000038